【事件の表示】
　平成１０年特許願第　２８０４８号「生体に関する粒子画像編集方法」拒絶査定に対する審判事件［平成１１年　５月２１日出願公開、特開平１１−１３２９３５］について、次のとおり審決する。
【結　論】
　本件審判の請求は、成り立たない。
【理　由】
１．手続の経緯
　
　本願は、平成９年１０月２９日に出願した特願平９−２９６６６７号の一部を平成１０年２月１０日に新たな特許出願としたものであって、平成１２年１１月１７日付で拒絶査定がなされ、これに対し、平成１２年１２月２８日に拒絶査定に対する審判請求がなされるとともに、平成１３年１月２６日付で手続補正がなされたものである。
　
２．平成１３年１月２６日付の手続補正についての補正却下の決定
　
〔補正却下の決定の結論〕
　　平成１３年１月２６日付けの手続補正を却下する。
　
［理由］
（１）補正後の本願発明
　本件補正により、特許請求の範囲の記載は、次のとおりのものとなった。
　
「【請求項１】
　検体中に含まれる粒子の画像を分類し、分類された粒子の画像を再分類する生体に関する粒子画像分類方法において、
　検体の粒子の特徴から分類した画像を記録する記録ステップと、
　画面の一部に、赤血球，白血球などの分類アイコン項目からなる分類アイコンを表示し、特定された分類アイコン項目の細分類項目について記録された、特定された検体についての複数の粒子画像を、画像ウィンドウに表示する画像ウィンドウ表示ステップと、
　粒子画像の縦方向の基準となる寸法を示す縦ルーラーと、粒子画像の横方向の基準となる寸法を示す横ルーラーとを有し、標準的な形状を有する細分類項目の粒子画像が表示されるサンプル画像ウィンドウ表示ステップと、および
　画像ウィンドウとサンプル画像ウィンドウとを同一画面に比較せしめる比較ステップと
　比較ステップによって、画像ウィンドウに表示された粒子画像の中から再分類すべき粒子画像を選択する画像選択ステップと、
　粒子画像の一部について再分類せず、一時的に保存する操作を行う一時保存ステップと、
　選択された粒子画像を移動する移動ステップと、
　選択された粒子画像に、選択された粒子画像であることを表示する識別表示ステップと、
　移動する粒子画像を他の分類項目に再分類する再分類ステップと、
　移動ステップ後に、再分類された粒子画像を他分類項目に再分類により移動した粒子画像であることを示して前記画像ウィンドウ表示ステップで表示された同一画面上に画像表示する粒子画像移動後画像表示ステップと
　を有することを特徴とする粒子画像分類方法。
　
【請求項２】
　請求項１において、
　画像ウィンドウに表示された粒子画像と、サンプル画像ウィンドウに表示された粒子画像とを比較しながら観察し、検体の正常・異常を判定する判定ステップを有することを特徴とする粒子画像分類方法。
　
【請求項３】
　請求項１において、
　検体データ編集表示を指示することによって、検体ごとに分類アイコン項目について記録した検体データを含む検体リストから形成されるリスト画面を表示する検体データ編集画面を表示する検体データ表示ステップと、
　データ編集を指示することによって、検体データ編集画面に表示された検体データの編集を行う状態にする編集状態ステップと、および
　データ編集を行う検体を選択し、データ編集を行うデータ編集ステップとからなることを特徴とする粒子画像分類方法。
　
【請求項４】
　請求項３において、
　前記データ編集ステップは、選択された検体について、分類アイコン項目の行方向についてデータ編集を行うことを特徴とする粒子画像分類方法。
　
【請求項５】
　請求項３において、
　前記データ編集ステップは、選択された検体について、分類アイコン項目の列方向について、データ編集を行うことを特徴とする粒子画像分類方法。
　
【請求項６】
　請求項３において、
　前記検体データ編集画面に表示された分類アイコンは、尿などの色を示す項目検体に関するコメントを記す項目などの列方向の追加分類アイコン項目を含み、前記データ編集ステップは、追加分類アイコン項目についての測定データを追加するデータ追加ステップを有することを特徴とする粒子画像分類方法。」
(なお、請求項１の記載において、「粒子画像移動後画像表示ステップ」における「前記画像表示ステップ」は、その前の各ステップの記載から見て明らかに、「前記画像ウィンドウ表示ステップ」の誤記であるので、上記のように認定した。)
　
　上記補正は、補正前の請求項１，２，３を削除し、補正前の請求項４の記載において請求項３を引用したものを基準として、「選択された粒子画像に、選択された粒子画像であることを表示する識別表示ステップ」を有する旨限定するととともに、「粒子画像移動後画像表示ステップ」を、「細分類項目について、移動ステップ後に複数の粒子画像について画像表示する」ものから、「移動ステップ後に、再分類された粒子画像を他分類項目に再分類により移動した粒子画像であることを示して前記画像表示ステップで表示された同一画面上に画像表示する」ものである旨限定して、新たに請求項１とするとともに、補正前の請求項５，６の記載において、請求項の引用についての記載を「請求項１から３」から「請求項１」とし、新たな請求項２，３とし、補正前の請求項７乃至９の記載において、請求項の引用についての記載を「請求項６」から、補正前の請求項６が新たに請求項３となったことに対応して「請求項３」とするものであり、特許法第１７条の２第４項第１号の請求項の削除及び第２号の特許請求の範囲の減縮を目的とするものに該当する。
　
　そこで、本件補正後の前記の請求項１に係る発明（以下、「本願補正発明」という。）が、特許出願の際独立して特許を受けることができるものであるかどうか（特許法第１７条の２第５項において準用する同法第１２６条第４項の規定に適合するか）について以下に検討する。
　
（２）引用例
　
　原査定の拒絶の理由に引用された特開平８−２９３１７号公報（以下、「引用例」という。）には、以下の事項が記載・図示されている。
　
「本発明は、粒子自動分類システムに係り、特に尿中の沈澱物にふくまれる粒子や血液中にふくまれる血球の分類に最適な自動分類システム、特に、前記所定の種類別に粒子を再分類する機能を備えた粒子自動分類システムに関するものである。」（【０００１】）、
「上記目的を達成するため、本発明に係る粒子自動分類システムは、流体中にふくまれる粒子画像の特徴量もしくは前記粒子の光学的特性の特徴量により前記粒子を自動分類する分類部と、前記粒子画像と前記分類結果とを格納する画像記憶部とからなり、入力装置からの指定により、前記指定された特定粒子の画像と分類結果とを自動的に引き出すように構成した粒子分類装置を含む粒子自動分類システムにおいて、データフアイル部と画像表示部とを備えた粒子再分類装置を設け、前記自動的に引き出された特定粒子の画像と分類結果とを前記画像表示部に表示させ、入力装置から指定することにより、前記表示された画像にもとずき前記分類結果の特定項目を用いて前記特定粒子を再分類し、その結果を前記データフアイル部に格納させるように構成したことを特徴とする。」（【０００７】）、
「上記各技術的手段の働きは・・・本発明に係る粒子自動分類システムの構成によれば、指定により自動的に選択された特定粒子の画像とその分類結果とにもとずき、入力装置から指定することにより、前記分類結果の特定項目を用い再分類することができるので、再分類粒子を最小限にすることができる。」（【００１２】）、
「前記画像表示回路１５には画像表示用ＣＲＴ２０が接続され、前記画像表示用ＣＲＴ２０上にはタッチパネル２６がとりつけられている。操作者が、タッチパネル制御回路２５により前記タッチパネル２６を介して、前記ＣＲＴ２０と対話形式によって操作できるようになっている。」（【００２０】）、
「本実施例では前記粒子判別回路８にニューロコンピューターが用いるが、・・・その入力は、面積周囲長等の特徴パラメーターであり、出力は赤血球、白血球、上皮細胞、円柱、細菌等の粒子の種別である。前記ネットワークのノード数を増やすことによって、より細かい分類、たとえば、上皮細胞の中の偏平上皮細胞、移行上皮細胞等の分類もできる。ニューロコンピューターの出力値からいちばん値の大きいものを分類結果として出力する。・・・前記分類結果は、前記画像メモリ９中の粒子画像と共に、一つのファイルとして前記光磁気ディスク１４に格納される。粒子分類にニューロコンピューターを用いているので、そのそれぞれの分類項目に対する出力値もあわせてファイルされている。同時に、この結果は、後述するように再分類時に前記ＣＲＴ２０上に粒子画像とあわせて表示される。」（【００２２】−【００２３】）、
「上記再分類の項目に、自動分類結果の特定項目を選択した場合について図３、４、５を参照して説明する。本実施例は、尿沈渣成分の円柱、血球等の項目に付いてより細かく操作者が再分類するときの例示である。図３は、再分類する特定項目の設定画面の一例、図４は、図３に示した項目にしたがい、再分類時の粒子画像表示の一例を示し、図５は、本実施例における再分類の手順を示すフローチャートであり、Ｓ1・・・Ｓ7は、各分類のステップを示すものである。・・・本実施例では、一検体毎に測定が行われ、必要な項目のみの再分類が操作者の入力指示によって行われる。まず、図３に示す如く、設定画面にあらかじめ再分類項目指定を＊印にて設定する。図３では、再分類対象の特定粒子に円柱粒子が指定された場合を図示している。まず、ステップＳ１において、決められた一検体分量の尿中沈渣成分の画像を上記ＣＣＤカメラ３、ＡＤ変換器４を用いて取得し、粒子判別回路８にニューロコンピュータを用いて自動分類する。・・・ステップＳ２において、前記尿中沈渣成分の画像と自動分類結果とを光磁気ディスク１４にファイルし、これを１検体分の粒子について行われる。・・・次の再分類のステップＳ４へ進む。本実施例においては、再分類のステップＳ４において、先に項目設定したように円柱のみ再分類するので、その再分類の実行画面が図４の如く表示される。前記図４は、表示回路１５により円柱の種類と分類されている沈渣成分の画像とをまとめて表示し、前記円柱が硝子円柱、顆粒円柱等、どんな円柱であるか分類させることを表示したものである。」（【００２６】−【００２８】）、
「まず、画面の分類したい円柱画像にタッチする。次いで、タッチパネル２６にタッチする。これにより前記タッチした円柱画像が選択され入力される。次に、操作者の視認下の判断により、前記円柱画像が該当すると判定した画面下に表示項目をタッチする。このようにして、前記円柱画像は再分類され入力されたことになる。このようなことを再分類が必要な円柱画像のすべてについて、操作者の視認下で確認される。」（【００２９】）、
「次ぎに、ステップＳ５において・・・再分類が操作者の視認下で判断されるが、自動分類に誤りや判断不能の粒子画像があり、前記再分類において修正の必要があれば、ステップＳ６において修正がなされる。ステップＳ７において、表示させた画像がすべて再分類されれば、再分類データを前記光磁気ディスク１４にファイルし、「次検体」のところをタッチし、次に行くか、「終了」にタッチする。・・・このような手順によって再分類を行われる。本実施例では、最初の分類より有効な再分類することができる。前記ＣＰＵ１１は、前記光磁気ディスク１４にファイルされた前記尿中沈渣成分の画像と、自動分類結果と、再分類データとを画像表示部に表示させることができる。」（【００３０】−【００３１】）、図１、図３、図４、図５。
　
（３）対比・判断
　
　本願補正発明と引用例に記載された発明とを対比すると、引用例に記載された「検体中に含まれる粒子の画像を分類し、分類された粒子の画像を再分類する生体に関する粒子画像分類方法」において、「光磁気ディスク」が「尿中沈渣成分の画像と自動分類結果とをファイルする」ことは、本願補正発明における「検体の粒子の特徴から分類した画像を記録する記録ステップ」に相当する。
　
　また、引用例に記載された粒子画像分類方法において、１検体毎の再分類作業の表示画面として、図４に図示されているように、「表示回路（１５）」により、「再分類項目として設定された円柱に分類されている沈渣成分の画像と硝子円柱，顆粒円柱等の円柱の種類とを、再分類の表示画面として、まとめてＣＲＴディスプレイ（２０）に表示する」ことは、複数の円柱画像を「枠」内に画像表示していることからみて、本願補正発明における「画面の一部に、赤血球，白血球などの分類アイコン項目からなる分類アイコンを表示し、特定された分類アイコン項目の細分類項目について記録された、特定された検体についての複数の粒子画像を、画像ウィンドウに表示する画像ウィンドウ表示ステップ」に相当する。
　
　また、引用例に記載された粒子画像分類方法において、タッチパネル（２６）及びタッチパネル制御回路（２７）にて、「画面の分類したい円柱画像にタッチすることにより、タッチした円柱画像を選択し入力する」ことは、本願補正発明における「画像ウィンドウに表示された粒子画像の中から再分類すべき粒子画像を選択する画像選択ステップ」に相当し、「操作者の視認下の判断により、前記円柱画像が該当すると判定した画面下に表示項目をタッチし、前記円柱画像を再分類し入力する」ことは、選択された粒子画像について、その属する分類項目を現在の分類項目から画面下のタッチされた分類項目に再分類により変更することであり、結局、分類項目に関して、選択された粒子画像を再分類により移動することであるから、本願補正発明の「選択された粒子画像を移動する移動ステップ」及び「移動する粒子画像を他の分類項目に再分類する再分類ステップ」に相当する。
　
　さらに、引用例に記載された粒子画像分類方法においては、【００２９】の図４の説明によれば、「画面の分類したい円柱画像にタッチする・・・これにより前記タッチした円柱画像が選択され入力される。」、「次に、操作者の判断により、前記円柱画像が該当すると判定した画面下に表示項目をタッチする」と記載されており、タッチパネル操作にて、粒子画像の選択・入力、再分類項目の入力を行うとしか記載されていないことから、表示回路（１５）により、選択された粒子画像は、再分類され、再分類項目に移動された後にも、そのまま画像表示ステップによって表示された同一画面上に他の画像とともに表示され続けられるものと把握できるから、引用例に記載された粒子画像分類方法は、「移動ステップ後に、再分類された粒子画像を画像ウィンドウ表示ステップで表示された同一画面上に画像表示する粒子画像移動後画像表示ステップ」を有する。
　
　してみると、本願補正発明と引用例に記載された発明とは、
「検体中に含まれる粒子の画像を分類し、分類された粒子の画像を再分類する生体に関する粒子画像分類方法において、
　検体の粒子の特徴から分類した画像を記録する記録ステップと、
　画面の一部に、赤血球，白血球などの分類アイコン項目からなる分類アイコンを表示し、特定された分類アイコン項目の細分類項目について記録された、特定された検体についての複数の粒子画像を、画像ウィンドウに表示する画像ウィンドウ表示ステップと、
　画像ウィンドウに表示された粒子画像の中から再分類すべき粒子画像を選択する画像選択ステップと、
　選択された粒子画像を移動する移動ステップと、
　移動する粒子画像を他の分類項目に再分類する再分類ステップと、
　移動ステップ後に、再分類された粒子画像を他分類項目に再分類により移動した粒子画像であることを示して前記画像ウィンドウ表示ステップで表示された同一画面上に画像表示する粒子画像移動後画像表示ステップと
　を有することを特徴とする粒子画像分類方法。」である点で一致し、以下の４点で相違している。
　
（相違点１）
　本願補正発明は、「粒子画像の縦方向の基準となる寸法を示す縦ルーラーと、粒子画像の横方向の基準となる寸法を示す横ルーラーとを有し、標準的な形状を有する細分類項目の粒子画像が表示されるサンプル画像ウィンドウ表示ステップ」、「画像ウィンドウとサンプル画像ウィンドウとを同一画面に比較せしめる比較ステップ」を有し、「画像選択ステップ」が、「画像ウィンドウに表示された粒子画像の中から再分類すべき粒子画像を選択する」際に、「比較ステップによって」行うようになっているのに対して、
　引用例に記載された発明においては、これら「サンプル画像画像ウィンドウ表示ステップ」、「比較ステップ」を有しておらず、また、「画像選択ステップ」は、単に「画像ウィンドウに表示された粒子画像の中から再分類すべき粒子画像を選択する」だけである点。
　
（相違点２）
　本願補正発明は、「粒子画像の一部について再分類せず、一時的に保存する操作を行う一時保存ステップ」を有しているのに対して、
　引用例に記載された発明は、この「一時保存ステップ」を有していない点。
　
（相違点３）
　本願補正発明は、「選択された粒子画像に、選択された粒子画像であることを表示する識別表示ステップ」を有しているのに対して、
　引用例に記載された発明は、この「識別表示ステップ」を有していない点。
　
（相違点４）
　本願補正発明は、「粒子画像移動後画像表示ステップ」が、「移動ステップ後に、再分類された粒子画像を画像ウィンドウ表示ステップで表示された同一画面上に画像表示する」だけでなく、「再分類された粒子画像を他分類項目に再分類により移動した粒子画像であることを示して画像表示」しているのに対して、
　引用例に記載された発明は、「粒子画像移動後画像表示ステップ」が、「移動ステップ後に、再分類された粒子画像を前記画像ウィンドウ表示ステップで表示された同一画面上に画像表示する」としか記載されていない点。
　
　上記（相違点１）について検討する。
　粒子画像分類装置において、粒子画像の再分類を行う際に、粒子画像と同じ画面に、粒子画像の横方向の基準となる寸法を示す横ルーラーを表示することは、本出願前に周知の技術であり（例えば、特開平７−２８６９５４号公報（図２−４に図示された「スケール・・・３０μｍ」という表示）や特開平７−１１３７３８号公報（図４に図示された「スケール・・・２０μｍ」という表示）等を参照。）、また、被検体画像と同時に標準的な形状を有する画像をサンプル画像として表示し、両画像を同一画面に比較し、判別しやすくすることも、本出願前に周知の技術である（例えば、特開平８−２１０９６１号公報（【００７４】−【００７５】欄の記載、図４に図示された、画面上に「Ａ粒子表示領域」と「Ｂ粒子表示領域」とを同時に表示して判定しやすくする技術を参照）を参照。）。
　そして、引用例に記載された粒子画像分類方法において、「細分類項目」について記録され、「画像ウィンドウ表示ステップ」により「画像ウィンドウ」に表示された複数の粒子画像に対して再分類を行う際のステップとして、上記の本出願前に周知の被検体画像と同時に標準的な形状の画像をサンプル画像として表示し、両画像を同一画面に比較し、判別しやすくする技術を採用して、再分類の際の判別のしやすさを考慮して、再分類される対象である「細分類項目」について記録された「画像ウインドウ」の粒子画像に対応して、同じ細分類項目の標準的な形状を有する「細分類項目」の粒子画像を「画像ウィンドウ」と同一画面上の「サンプル画像ウィンドウ」に表示して、２つの「ウィンドウ」の粒子画像を比較する構成、すなわち、「標準的な形状を有する細分類項目の粒子画像が表示されるサンプル画像ウィンドウ表示ステップ」と「画像ウィンドウとサンプル画像ウィンドウとを同一画面に比較せしめる比較ステップ」とを有する構成とする程度のことは、当業者であれば容易になし得ることである。
　また、その際、「サンプル画像ウィンドウ表示ステップ」において、上記の本出願前に周知の粒子画像と同じ画面に粒子画像の横方向の基準となる寸法を示す横ルーラーを表示する技術を参考にして、横ルーラーに加えて、粒子画像の縦方向の基準となる寸法を示す縦ルーラーを粒子画像と同じ画面に表示する程度のこと、これら横ルーラー・縦ルーラーを粒子画像が表示されるサンプル画像ウィンドウに表示する程度のこと、さらに、「画像選択ステップ」が、「比較ステップ」による比較後の結果に基づき行われる構成、すなわち、「比較ステップによって、画像ウィンドウに表示された粒子画像の中から再分類すべき粒子画像を選択する」構成とする程度のことは、いずれも当業者であれば適宜になし得る設計上の事項にすぎない。
　
　上記（相違点２）について検討する。
　粒子画像分類方法において、分類が困難な粒子画像がある場合に、その粒子画像を分類せず、一時的に保存することは、本出願前に周知の技術にすぎない（例えば、特開平７−１１３７３８号公報（請求項１、【００１２】、【００２３】、【００２６】）、特開平８−２１０９６１号公報（【００６８】−【００７１】）、特開平９−８９７５２号公報（【０００６】）等や引用例（【００２５】、【００３０】）を参照。）。
　そして、引用例に記載された粒子画像分類方法において、複数の粒子画像の再分類を行う際にも、その一部に再分類が困難な粒子画像が存在する場合があることは当業者にとって自明の事項であり、引用例に記載された粒子画像分類方法において、上記の本出願前に周知の分類が困難な粒子画像を分類せず、一時的に保存する技術を採用して、複数の粒子画像のうちの一部の再分類が困難な粒子画像に対応して、「粒子画像の一部について再分類せず、一時的に保存する操作を行う一時保存ステップ」を有する構成とする程度のことは、当業者であれば容易になし得ることである。
　
　上記（相違点３）について検討する。
　コンピュータ技術分野において、画面上で、選択された画像など特定の画像を他の画像と識別可能に画像表示することは、本出願前に慣用されている技術にすぎない（例えば、特開平７−２８６９５４号公報（粒子画像分類装置において、粒子画像の再分類を行う際に、選択された粒子画像に「画像選択枠」を表示する技術）や、特開平６−３５６５４号公報（図５や図９に記載されたように、アイコンの背後に「ストライプ（２５０）」を表示したり、アイコンに「枠（６００）」を表示する技術）を参照。）。
　そして、引用例に記載された粒子画像分類方法においても、再分類される粒子画像が選択されることから、上記の本出願前に慣用されている技術に基づき、単に、「選択された粒子画像に、選択された粒子画像であることを表示する識別表示手段」を有する構成とする程度のことは当業者であれば容易になし得ることである。
　
　上記（相違点４）について検討する。
　引用例に記載された粒子画像分類方法において、「粒子画像移動後画像表示ステップ」により、移動ステップ後に、再分類された粒子画像を画像ウィンドウ表示ステップで表示された同一画面上に画像表示する際に、再分類され他分類項目に移動された粒子画像とまだ再分類されていない粒子画像とが識別可能になっている方が再分類作業を行う際に好ましいことは当業者にとって自明の技術的事項にすぎず、上記のコンピュータ技術分野において本出願前に慣用されている画面上で特定の画像を他の画像と識別可能に画像表示する技術に基づき、「粒子画像移動後画像表示ステップ」が、「移動ステップ後に、再分類された粒子画像を画像ウィンドウ表示ステップで表示された同一画面上に画像表示する」だけでなく、「再分類された粒子画像を他分類項目に再分類により移動した粒子画像であることを示して画像表示」する構成とする程度のことは、当業者であれば適宜になし得る設計上の事項にすぎない。
  
　したがって、本願補正発明は、引用例に記載された発明、本出願前に周知の技術及び本出願前に慣用されている技術に基いて、当業者が容易に発明をすることができたものであるから、特許法第２９条第２項の規定により独立して特許を受けることができないものである。
　
（４）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　
　平成１３年１月２６日付の手続補正は上記のとおり却下されたので、本願の請求項３に係る発明（以下、「本願発明」という。）は、平成１２年８月７日付の手続補正書の特許請求の範囲の請求項３に記載された事項により特定される、以下のとおりのものである。
　
「検体中に含まれる粒子の画像を分類し、分類された粒子の画像を再分類する生体に関する粒子画像分類方法において、
　検体の粒子の特徴から分類した画像を記録する記録ステップと、
　画面の一部に、赤血球，白血球などの分類アイコン項目からなる分類アイコンを表示し、特定された分類アイコン項目の細分類項目について記録された、特定された検体についての複数の粒子画像を、画像ウィンドウに表示する画像ウィンドウ表示ステップと、
　粒子画像の縦方向の基準となる寸法を示す縦ルーラーと、粒子画像の横方向の基準となる寸法を示す横ルーラーとを有し、標準的な形状を有する細分類項目の粒子画像が表示されるサンプル画像ウィンドウ表示ステップと、および　
　画像ウィンドウとサンプル画像ウィンドウとを同一画面に比較せしめる比較ステップと
　を有することを特徴とする粒子画像分類方法。」
　
（１）引用例
　
　原査定の拒絶の理由に引用された引用例、および、その記載事項は、前記「２．（２）」に記載したとおりである。
　
（２）対比・判断
　
　本願発明は、前記「２．」で検討した本願補正発明の粒子画像分類方法から、「比較ステップによって、画像ウィンドウに表示された粒子画像の中から再分類すべき粒子画像を選択する画像選択ステップ」、「粒子画像の一部について再分類せず、一時的に保存する操作を行う一時保存ステップ」、「選択された粒子画像を移動する移動ステップ」、「選択された粒子画像に、選択された粒子画像であることを表示する識別表示ステップ」、「移動する粒子画像を他の分類項目に再分類する再分類ステップ」、「移動ステップ後に、再分類された粒子画像を他分類項目に再分類により移動した粒子画像であることを示して前記画像ウィンドウ表示ステップで表示された同一画面上に画像表示する粒子画像移動後画像表示ステップ」を有する旨の限定を省いたものである。
　
　そうすると、本願発明の構成要件を全て含み、さらに、他の構成要件を付加したものに相当する本願補正発明が、前記「２．（３）」に記載したとおり、引用例に記載された発明、本出願前に周知の技術及び本願出願前に慣用されている技術に基いて、当業者が容易に発明をすることができたものであるから、本願発明も、同様な理由により、引用例に記載された発明及び本出願前に周知の技術に基いて、当業者が容易に発明をすることができたものである。
　
（３）むすび
　
　以上のとおり、本願発明は、引用例に記載された発明及び本出願前に周知の技術に基いて、当業者が容易に発明をすることができたものである。
　したがって、他の請求項１，２，４−９に係る発明についての判断を示すまでもなく、本願は拒絶すべきものである。
　よって、結論のとおり審決する。